(57)【要約】【課題】開き始めの操作性を向上させたソフトクローズ機構、及びそれを備えた玄関の引戸を提供すること。【解決手段】ソフトクローズ機構５は、スライドすることで開閉動作を行う戸体３に採用される機構であって、戸体３が閉方向ＣＬにスライドする場合に当該戸体３に減衰力を付与するダンパー１９と、戸体３が開方向ＯＰにスライドする場合に閉方向ＣＬの付勢力を蓄積する一方で、戸体３が閉方向ＣＬにスライドする場合に当該戸体３に閉方向ＣＬの付勢力を付与するバネ２０と、を備え、バネ２０は、戸体３の全閉位置から所定の距離の第１区間を戸体３が開方向ＯＰにスライドする場合に閉方向ＣＬの付勢力を蓄積しない無負荷状態になる一方で、第１区間に連続する第２区間を戸体３が開方向ＯＰにスライドする場合に閉方向ＣＬの付勢力を蓄積する負荷状態になる。【選択図】図３
2019049148.tif 000002
【特許請求の範囲】
【請求項１】
スライドすることで開閉動作を行う開閉部材に採用されるソフトクローズ機構であって、
前記開閉部材が閉方向にスライドする場合に該開閉部材に減衰力を付与するダンパーと、
前記開閉部材が開方向にスライドする場合に閉方向の付勢力を蓄積する一方で、前記開閉部材が閉方向にスライドする場合に該開閉部材に閉方向の付勢力を付与するスライド付勢部材と、を備え、
前記スライド付勢部材は、前記開閉部材の全閉位置から所定の距離の第１区間を前記開閉部材が開方向にスライドする場合に閉方向の付勢力を蓄積しない無負荷状態になる一方で、前記第１区間に連続する第２区間を前記開閉部材が開方向にスライドする場合に閉方向の付勢力を蓄積する負荷状態になるソフトクローズ機構。
【請求項２】
前記開閉部材の開方向及び閉方向に沿って配置されたレールと、
前記レールに沿ってスライドすることで、前記ダンパーの減衰力及び前記スライド付勢部材の付勢力を前記開閉部材に伝達するスライダーと、
前記スライダーに設けられ、前記開閉部材が閉方向にスライドする場合に、前記開閉部材に固定された被保持部材を保持して前記スライダーを前記開閉部材と一体にスライドさせる一方で、前記開閉部材が開方向にスライドする場合に前記被保持部材を保持しない第１保持手段と、
前記スライダーにおける前記第１保持手段よりも前記開閉部材の開方向の側に設けられ、前記開閉部材が閉方向にスライドする場合に前記被保持部材を保持しない一方で、前記開閉部材が開方向にスライドする場合に前記被保持部材を保持して前記スライダーを前記開閉部材と一体にスライドさせる第２保持手段と、を備える請求項１に記載のソフトクローズ機構。
【請求項３】
前記スライダーを所定の位置にロックして該スライダーのスライドを不能にする一方で、ロックを解除して前記スライダーのスライドを可能にするロック手段を備え、
前記第１保持手段は、
前記開閉部材が閉方向にスライドする場合に前記被保持部材が嵌まる第１閉方向姿勢と、前記開閉部材が開方向にスライドする場合に前記被保持部材が嵌まる第１開方向姿勢と、の間を揺動する第１揺動部材と、
前記第１揺動部材に、前記第１閉方向姿勢の方向の付勢力、又は前記第１開方向姿勢の方向の付勢力を付与する第１揺動付勢部材と、を備え、
前記第２保持手段は、
前記開閉部材が閉方向にスライドする場合に前記被保持部材が嵌まる第２閉方向姿勢と、前記開閉部材が開方向にスライドする場合に前記被保持部材が嵌まる第２開方向姿勢と、の間を揺動する第２揺動部材と、
前記第２揺動部材に、前記第２閉方向姿勢の方向の付勢力、又は前記第２開方向姿勢の方向の付勢力を付与する第２揺動付勢部材と、を備え、
前記ロック手段は、
前記スライダーに設けられ、前記レールに設けられたロック穴に対して挿脱する挿脱部材と、
前記挿脱部材に、該挿脱部材が前記ロック穴に挿入する挿入方向の付勢力を付与するロック付勢部材と、
前記第１揺動部材が前記第１閉方向姿勢から前記第１開方向姿勢に向けて揺動する場合に、前記ロック付勢部材の付勢力に抗して前記挿脱部材を前記ロック穴から脱出させる連動部材と、を備える請求項２に記載のソフトクローズ機構。
【請求項４】
請求項１〜３のいずれかに記載のソフトクローズ機構を備える引戸。
【発明の詳細な説明】
【技術分野】
【０００１】
本発明は、引戸等に採用されるソフトクローズ機構及びそれを備えた引戸に関する。
【背景技術】
【０００２】
従来、室内の引戸に採用されているソフトクローズ機構は、引戸が閉まる際の衝撃をダンパーで吸収しつつ、全閉まで引戸をバネで引き込む機構として知られている（例えば、特許文献１参照）。
【先行技術文献】
【特許文献】
【０００３】
【特許文献１】特許第４７８６９４４公報
【発明の概要】
【発明が解決しようとする課題】
【０００４】
このようなソフトクローズ機構は、引戸の開き始めの区間でバネに力を蓄える必要があり、引戸の開き始めの動作力が大きくなるため、開き始めの操作性に改善の余地がある。また、例えば玄関の引戸は、建物の断熱性及び気密性を向上すべく、全閉時に家内側に引き込まれる構造を有しており、また、室内の引戸と比較して重量があるので、開き始めに大きな動作力が必要である。このため、仮に、玄関の引戸にソフトクローズ機構を設けた場合には、開き始めの動作力が非常に大きくなると予想されるため、開き始めの操作性の向上が強く求められる。なお、このような問題点は、ソフトクローズ機構を引戸に採用した場合に限定されず、引出等のスライドによる開閉動作を行うその他のものに採用した場合に、同様に発生することがある。
【０００５】
本発明は上記に鑑みてなされたものであり、その目的は、開き始めの操作性を向上させたソフトクローズ機構及びそれを備えた引戸を提供することにある。
【課題を解決するための手段】
【０００６】
上記目的を達成するため本発明は、スライドすることで開閉動作を行う開閉部材（例えば、後述の玄関の引戸１）に採用されるソフトクローズ機構であって、前記開閉部材が閉方向にスライドする場合に該開閉部材に減衰力を付与するダンパー（例えば、後述のダンパー１９）と、前記開閉部材が開方向にスライドする場合に閉方向の付勢力を蓄積する一方で、前記開閉部材が閉方向にスライドする場合に該開閉部材に閉方向の付勢力を付与するスライド付勢部材（例えば、後述するバネ２０）と、を備え、前記スライド付勢部材は、前記開閉部材の全閉位置から所定の距離の第１区間を前記開閉部材が開方向にスライドする場合に閉方向の付勢力を蓄積しない無負荷状態になる一方で、前記第１区間に連続する第２区間を前記開閉部材が開方向にスライドする場合に閉方向の付勢力を蓄積する負荷状態になるソフトクローズ機構（例えば、後述のソフトクローズ機構５）を提供する。
【０００７】
また、前記開閉部材の開方向及び閉方向に沿って配置されたレール（例えば、後述のレール１７）と、前記レールに沿ってスライドすることで、前記ダンパーの減衰力及び前記スライド付勢部材の付勢力を前記開閉部材に伝達するスライダー（例えば、後述のスライダー１８）と、前記スライダーに設けられ、前記開閉部材が閉方向にスライドする場合に、前記開閉部材に固定された被保持部材（例えば、後述のピン１６）を保持して前記スライダーを前記開閉部材と一体にスライドさせる一方で、前記開閉部材が開方向にスライドする場合に前記被保持部材を保持しない第１保持手段（例えば、後述の第１キャッチャー２１）と、前記スライダーにおける前記第１保持手段よりも前記開閉部材の開方向の側に設けられ、前記開閉部材が閉方向にスライドする場合に前記被保持部材を保持しない一方で、前記開閉部材が開方向にスライドする場合に前記被保持部材を保持して前記スライダーを前記開閉部材と一体にスライドさせる第２保持手段（例えば、後述の第２キャッチャー２２）と、を備えることが好ましい。
【０００８】
また、前記スライダーを所定の位置にロックして該スライダーのスライドを不能にする一方で、ロックを解除して前記スライダーのスライドを可能にするロック手段（例えば、後述のロックユニット２３）を備え、前記第１保持手段は、前記開閉部材が閉方向にスライドする場合に前記被保持部材が嵌まる第１閉方向姿勢と、前記開閉部材が開方向にスライドする場合に前記被保持部材が嵌まる第１開方向姿勢と、の間を揺動する第１揺動部材（例えば、後述の第１揺動片２４）と、前記第１揺動部材に、前記第１閉方向姿勢の方向の付勢力、又は前記第１開方向姿勢の方向の付勢力を付与する第１揺動付勢部材（例えば、後述のバネ２５）と、を備え、前記第２保持手段は、前記開閉部材が閉方向にスライドする場合に前記被保持部材が嵌まる第２閉方向姿勢と、前記開閉部材が開方向にスライドする場合に前記被保持部材が嵌まる第２開方向姿勢と、の間を揺動する第２揺動部材（例えば、後述の第２揺動片２６）と、前記第２揺動部材に、前記第２閉方向姿勢の方向の付勢力、又は前記第２開方向姿勢の方向の付勢力を付与する第２揺動付勢部材（例えば、後述のバネ２７）と、を備え、前記ロック手段は、前記スライダーに設けられ、前記レールに設けられたロック穴に対して挿脱する挿脱部材（例えば、後述の挿脱片２８）と、前記挿脱部材に、該挿脱部材が前記ロック穴に挿入する挿入方向の付勢力を付与するロック付勢部材（例えば、後述のバネ２９）と、前記第１揺動部材が前記第１閉方向姿勢から前記第１開方向姿勢に向けて揺動する場合に、前記ロック付勢部材の付勢力に抗して前記挿脱部材を前記ロック穴から脱出させる連動部材（例えば、後述の連動リンク３０）と、を備えることが好ましい。
【０００９】
また、本発明は、上記のソフトクローズ機構を備える引戸（例えば、後述の玄関の引戸１）を提供する。
【発明の効果】
【００１０】
本発明のソフトクローズ機構及び引戸によれば、開き始めの操作性を向上させることができる。
【図面の簡単な説明】
【００１１】
【図１】本発明の一実施形態に係るソフトクローズ機構を備える玄関の引戸を示す正面図である。
【図２】図１に示す矢印Ａの方向に視た玄関の引戸の横断面図である。
【図３】ソフトクローズ機構の正面図である。
【図４】レールを省略して示すソフトクローズ機構の背面図である。
【図５Ａ】引戸の閉動作時のソフトクローズ機構の動作を説明する正面図であり、ソフトクローズ機構の動作が開始する時の状態を示す。
【図５Ｂ】引戸の閉動作時のソフトクローズ機構の動作を説明する正面図であり、図５Ａに示す状態の続きの状態を示す。
【図５Ｃ】引戸の閉動作時のソフトクローズ機構の動作を説明する正面図であり、図５Ｂに示す状態の続きの状態を示す。
【図５Ｄ】引戸の閉動作時のソフトクローズ機構の動作を説明する正面図であり、図５Ｃに示す状態の続きの状態を示す。
【図５Ｅ】引戸の閉動作時のソフトクローズ機構の動作を説明する正面図であり、図５Ｄに示す状態の続きの状態を示す。
【図５Ｆ】引戸の閉動作時のソフトクローズ機構の動作を説明する正面図であり、図５Ｅに示す状態の続きで、引戸が全閉位置に位置する状態を示す。
【図６Ａ】引戸の開動作時のソフトクローズ機構の動作を説明する正面図であり、ソフトクローズ機構５の動作が開始する前の状態を示す。
【図６Ｂ】引戸の開動作時のソフトクローズ機構の動作を説明する正面図であり、図６Ａに示す状態の続きの状態を示す。
【図６Ｃ】引戸の開動作時のソフトクローズ機構の動作を説明する正面図であり、図６Ｂに示す状態の続きの状態を示す。
【図６Ｄ】引戸の開動作時のソフトクローズ機構の動作を説明する正面図であり、図６Ｃに示す状態の続きの状態を示す。
【図６Ｅ】引戸の開動作時のソフトクローズ機構の動作を説明する正面図であり、図６Ｄに示す状態の続きの状態を示す。
【図６Ｆ】引戸の開動作時のソフトクローズ機構の動作を説明する正面図であり、図６Ｅに示す状態の続きの状態を示す。
【図７Ａ】引戸ガードを説明する斜視図であり、引戸ガード本体が収納された状態を示す。
【図７Ｂ】引戸ガードを説明する斜視図であり、引戸ガード本体が引き出されて受け部と係合した状態を示す。
【図７Ｃ】引戸ガードを説明する斜視図であり、引戸ガード本体が引き出されて受け部と係合した状態で引戸を半開きとしたときの状態を示す。
【発明を実施するための形態】
【００１２】
以下、本発明の一実施形態について、図１〜図４を参照しながら説明する。図１は、本発明の一実施形態に係るソフトクローズ機構５を備える玄関の引戸１を示す正面図である。図２は、図１に示す矢印Ａの方向に視た玄関の引戸１の横断面図である。図３は、ソフトクローズ機構５の正面図である。図４は、レール１７を省略して示すソフトクローズ機構５の背面図である。なお、図１においては、戸体３を実線で示し、その他を破線で示す。
【００１３】
図１に示す玄関の引戸１は、枠体２と、戸体３と、戸袋４と、ソフトクローズ機構５と、等を備える。
【００１４】
枠体２は、建物の出入口となる開口部６に取り付けられている。この枠体２は、上枠７と、下枠８と、左右一対の縦枠９，１０と、を備え、矩形に枠組されている。上枠７における下方には、横方向（開方向ＯＰ及び閉方向ＣＬ）に沿ったガイドレール７ａが形成されている。ガイドレール７ａは、戸体３の上端に回転可能に固定された上戸車１２を案内する。下枠８における上方には、横方向に沿ったガイドレール８ａが形成されている。ガイドレール８ａは、戸体３の下端に固定された下戸車１３を案内する。
【００１５】
図２に示すように、ガイドレール８ａは、閉方向ＣＬの端部における屋外側が屋内側に傾斜した形状を有している。このガイドレール８ａは、戸体３の全閉時に当該戸体３を屋内側に引き込んで、建物の断熱性及び気密性を向上させる。
【００１６】
図１に戻って説明する。閉方向ＣＬの側の縦枠９には、戸体３の全閉時に当該戸体３の閉方向ＣＬの側の側端部が当接する。開方向ＯＰの側の縦枠１０には、戸体３の全開時に戸袋４に収容された当該戸体３の開方向ＯＰの側の側端部が当接する。
【００１７】
戸体３は、手動で操作される扉であり、枠体２の内側において、開方向ＯＰ及び閉方向ＣＬにスライドすることで開口部６の開閉動作を行う。この戸体３は、戸体本体１１と、上戸車１２と、下戸車１３と、を備えている。戸体本体１１は、７０キロ超の鋼板からなる略矩形の形状を有している。上戸車１２は、戸体本体１１の上端における閉方向ＣＬの端部に固定されている。この上戸車１２は、上枠７に形成されたガイドレール７ａに案内されることで、戸体本体１１を開方向ＯＰ及び閉方向ＣＬにスライドさせる。下戸車１３は、戸体本体１１の下端に固定されている。この下戸車１３は、下枠８に形成されたガイドレール８ａに案内されることで、戸体本体１１を開方向ＯＰ及び閉方向ＣＬにスライドさせる。
【００１８】
戸袋４は、開口部６における開方向ＯＰの側を塞ぐように設けられ、開方向ＯＰにスライドした戸体３を収容する。
【００１９】
ソフトクローズ機構５は、スライドすることで開閉動作を行う戸体３に搭載することによって、戸体３が閉まる際の衝撃を吸収しつつ、全閉まで戸体３を引き込む機構である。このソフトクローズ機構５は、開口部６の上端に、横方向に沿って設けられている。
【００２０】
図３及び図４に示すように、上戸車１２は、戸車本体１４と、二対の車輪１５と、ピン１６と、を備えている。戸車本体１４は、戸体本体１１の上端における閉方向ＣＬの端部に固定されていることで、戸体本体１１と一体となって開方向ＯＰ及び閉方向ＣＬにスライドする。二対の車輪１５は、自転可能に戸車本体１４に取り付けられている。これら二対の車輪１５は、上枠７（図１参照）のガイドレール７ａ（図１参照）を、開方向ＯＰ及び閉方向ＣＬに転動する。ピン１６は、二対の車輪１５のうち、ソフトクローズ機構５に面する側で且つ閉方向ＣＬの側の車輪１５の中心に設けられている。このピン１６は、ソフトクローズ機構５に接続することで、戸体３の開閉動作をソフトクローズ機構５に作用させると共に、ソフトクローズ機構５の動作を戸体３に作用させる。
【００２１】
ソフトクローズ機構５は、レール１７と、スライダー１８と、ダンパー１９と、バネ２０と、第１キャッチャー２１と、第２キャッチャー２２と、ロックユニット２３と、を備えている。
【００２２】
レール１７は、戸体３の開方向ＯＰ及び閉方向ＣＬに沿って配置され、スライダー１８を案内する。このレール１７は、上戸車１２に面する屋内側が開口した形状を有している。このため、レール１７に案内されるスライダー１８に設けられた第１キャッチャー２１及び第２キャッチャー２２が、上戸車１２のピン１６に接続可能となっている。レール１７を構成する上板の下面には、所定の位置に、後述するロック穴１７ａが形成されている。
【００２３】
スライダー１８は、レール１７に沿ってスライドする。このスライダー１８は、閉方向ＣＬの側の端部がレール１７に固定されたダンパー１９の開方向ＯＰの側の端部を接続していると共に、閉方向ＣＬの側の端部がレール１７に固定されたバネ２０の開方向ＯＰの側の端部を接続している。このため、スライダー１８は、当該スライダー１８に設けられた第１キャッチャー２１又は第２キャッチャー２２に、戸体３に固定された上戸車１２のピン１６が接続して、レール１７に沿ってスライドすることで、ダンパー１９の減衰力及びバネ２０の付勢力を戸体３に伝達する。
【００２４】
ダンパー１９は、バネ２０と並列となるようにレール１７に沿って配置され、閉方向ＣＬの側の端部がレール１７に固定されていると共に、開方向ＯＰの側の端部がスライダー１８に固定されている。このダンパー１９は、戸体３が閉方向ＣＬにスライドする場合に当該戸体３に減衰力を付与する。具体的に、ダンパー１９は、戸体３が閉方向ＣＬにスライドして、戸体３に固定された上戸車１２のピン１６がスライダー１８に設けられた第１キャッチャー２１に接続した場合に、引き続き戸体３が閉方向ＣＬにスライドすることで、戸体３に減衰力を付与する。
【００２５】
バネ２０は、ダンパー１９と並列となるようにレール１７に沿って配置され、閉方向ＣＬの側の端部がレール１７に固定されていると共に、開方向ＯＰの側の端部がスライダー１８に固定されている。このバネ２０は、戸体３が開方向ＯＰにスライドする場合に閉方向ＣＬの付勢力を蓄積する一方で、戸体３が閉方向ＣＬにスライドする場合に当該戸体３に閉方向ＣＬの付勢力を付与する。
【００２６】
具体的に、バネ２０は、戸体３が開方向ＯＰにスライドする場合に、戸体３に固定された上戸車１２のピン１６がスライダー１８に設けられた第２キャッチャー２２に接続した場合に、引き続き戸体３が開方向ＯＰにスライドすることで、閉方向ＣＬの付勢力を蓄積する負荷状態になる。ただし、バネ２０は、戸体３が開方向ＯＰにスライドする場合に、戸体３に固定された上戸車１２のピン１６がスライダー１８に設けられた第２キャッチャー２２に接続する前までは、閉方向ＣＬの付勢力を蓄積しない無負荷状態になっている。
【００２７】
一方で、バネ２０は、戸体３が閉方向ＣＬにスライドして、戸体３に固定された上戸車１２のピン１６がスライダー１８に設けられた第１キャッチャー２１に接続した場合に、引き続き戸体３が閉方向ＣＬにスライドすることで、戸体３に閉方向ＣＬの付勢力を付与する。
【００２８】
第１キャッチャー２１は、スライダー１８における第２キャッチャー２２よりも閉方向ＣＬの側に設けられている。この第１キャッチャー２１は、戸体３が閉方向ＣＬにスライドする場合に、戸体３に固定された上戸車１２のピン１６を保持してスライダー１８を戸体３と一体にスライドさせる一方で、戸体３が開方向ＯＰにスライドする場合に、戸体３に固定された上戸車１２のピン１６を保持しない。この第１キャッチャー２１には、第１揺動片２４の閉方向ＣＬへの移動を規制するストッパー３１が設けられている。
【００２９】
具体的に、第１キャッチャー２１は、第１揺動片２４と、バネ２５と、を備えている。第１揺動片２４は、その先端に、Ｕ字状に切り欠かれた保持部２４ａを有している。この第１揺動片２４は、スライダー１８に揺動可能に取り付けられている。具体的に、第１揺動片２４は、戸体３が閉方向ＣＬにスライドする場合に、戸体３に固定された上戸車１２のピン１６が保持部２４ａに嵌まる第１閉方向姿勢（図５Ｄ等参照）と、戸体３が開方向ＯＰにスライドする場合に、戸体３に固定された上戸車１２のピン１６が、第１揺動片２４がストッパー３１に当接することによりそれ以上の閉方向ＣＬへの移動が規制された状態の保持部２４ａに嵌まる第１開方向姿勢（図５Ｅ及び図５Ｆ等参照）と、の間を揺動する。バネ２５は、一端がスライダー１８に固定され、他端が第１揺動片２４に固定されている。このバネ２５は、第１揺動片２４に、第１閉方向姿勢の方向の付勢力、又は第１開方向姿勢の方向の付勢力を付与することで、第１揺動片２４を第１閉方向姿勢又は第１開方向姿勢のいずれかに維持する。バネ２５の力は、第１開方向姿勢の第１揺動片２４の保持部２４ａに上戸車１２のピン１６が嵌まった戸体３が開方向ＯＰにスライドした場合に、バネ２０を伸長させずに第１揺動片２４を揺動させて第１閉方向姿勢にするように設定されている。
【００３０】
第２キャッチャー２２は、スライダー１８における第１キャッチャー２１よりも開方向ＯＰの側に設けられている。この第２キャッチャー２２は、戸体３が閉方向ＣＬにスライドする場合に、戸体３に固定された上戸車１２のピン１６を保持しない一方で、戸体３が開方向ＯＰにスライドする場合に、戸体３に固定された上戸車１２のピン１６を保持してスライダー１８を戸体３と一体にスライドさせる。
【００３１】
具体的に、第２キャッチャー２２は、第２揺動片２６と、バネ２７と、を備えている。第２揺動片２６は、その先端に、Ｕ字状に切り欠かれた保持部２６ａを有している。この第２揺動片２６は、スライダー１８における第１揺動片２４よりも開方向ＯＰの側に、第１揺動片２４と所定の距離（例えば、３ｃｍ）だけ離れた箇所に揺動可能に取り付けられている。具体的に、第２揺動片２６は、戸体３が閉方向ＣＬにスライドする場合に、戸体３に固定された上戸車１２のピン１６が保持部２６ａに嵌まる第２閉方向姿勢（図５Ａ等参照）と、戸体３が開方向ＯＰにスライドする場合に、戸体３に固定された上戸車１２のピン１６が保持部２６ａに嵌まる第２開方向姿勢（図５Ｃ等参照）と、の間を揺動する。バネ２７は、一端がスライダー１８に固定され、他端が第２揺動片２６に固定されている。このバネ２７は、第２揺動片２６に、第２閉方向姿勢の方向の付勢力、又は第２開方向姿勢の方向の付勢力を付与することで、第２揺動片２６を第２閉方向姿勢又は第２開方向姿勢のいずれかに維持する。
【００３２】
ロックユニット２３は、スライダー１８を所定の位置にロックして当該スライダー１８のスライドを不能にする一方で、そのロックを解除してスライダー１８のスライドを可能にする。このロックユニット２３は、挿脱片２８と、バネ２９と、連動リンク３０と、を備えている。挿脱片２８は、第２キャッチャー２２（第２揺動片２６を揺動可能に支持する支持部）に揺動可能に取り付けられ、レール１７に設けられたロック穴１７ａに対して挿脱する。具体的に、挿脱片２８は、レール１７に設けられたロック穴１７ａに挿入した状態となってスライダー１８を所定の位置にロックするロック姿勢（図５Ｄ等参照）と、レール１７に設けられたロック穴１７ａから脱出した状態となってロックを解除する解除姿勢（図５Ｆ等参照）と、の間で揺動する。バネ２９は、一端が第２キャッチャー２２（第２揺動片２６を揺動可能に支持する支持部）に固定され、他端が挿脱片２８に固定されている。このバネ２９は、挿脱片２８に、ロック姿勢の方向の付勢力を付与する。連動リンク３０は、一端３０ａが第１揺動片２４に回転可能に取り付けられ、連動リンク３０の延びる方向に長穴が形成された他端３０ｂが挿脱片２８に回転可能に且つスライド可能に取り付けられている。これにより、連動リンク３０は、第１揺動片２４と挿脱片２８とを連動させる。具体的に、連動リンク３０は、第１揺動片２４が第１閉方向姿勢（図５Ｄ等参照）から第１開方向姿勢（図５Ｅ及び図５Ｆ等参照）に向けて揺動する場合に、バネ２９の付勢力に抗して挿脱片２８をロック穴１７ａから脱出させる。挿脱片２８がロック穴１７ａから脱出して解放された後は、バネ２９は常に上方向への付勢力を発生させる（図５Ｆ参照）。
【００３３】
次に、図５Ａ〜図５Ｆを用いて、引戸１の閉動作時のソフトクローズ機構５の動作について説明する。図５Ａ〜図５Ｆは、引戸１の閉動作時のソフトクローズ機構５の動作を説明する正面図である。図５Ａは、ソフトクローズ機構５の動作が開始する時の状態を示す。図５Ｂは、図５Ａに示す状態の続きの状態を示す。図５Ｃは、図５Ｂに示す状態の続きの状態を示す。図５Ｄは、図５Ｃに示す状態の続きの状態を示す。図５Ｅは、図５Ｄに示す状態の続きの状態を示す。図５Ｆは、図５Ｅに示す状態の続きの状態を示す。なお、図５Ｄ〜図５Ｆでは、便宜上、ダンパー１９及びバネ２０の記載を省略している。
【００３４】
戸体３が閉方向ＣＬにスライドされると、図５Ａに示すように、戸体３に固定された上戸車１２のピン１６が、第２閉方向姿勢の第２揺動片２６の保持部２６ａに嵌まる。この時、スライダー１８は、ロックユニット２３によってスライドが不能にされている。このため、図５Ｂ及び図５Ｃに示すように、第２揺動片２６は、閉方向ＣＬにスライドされる戸体３に固定された上戸車１２のピン１６によって揺動し、第２開方向姿勢になる。そして、戸体３に固定された上戸車１２のピン１６は、第２揺動片２６の保持部２６ａから離脱する。
【００３５】
その後、図５Ｄに示すように、戸体３に固定された上戸車１２のピン１６が、第１閉方向姿勢の第１揺動片２４の保持部２４ａに嵌まる。この時、スライダー１８は、ロックユニット２３によって所定の位置にロックされていてスライドが不能にされている。このため、図５Ｅに示すように、第１揺動片２４は、閉方向ＣＬにスライドされる戸体３に固定された上戸車１２のピン１６によって揺動し、ストッパー３１に当接して第１開方向姿勢になる。この時、挿脱片２８は、連動リンク３０によって、第１揺動片２４の揺動に連動し、バネ２９の付勢力に抗して揺動してロック穴１７ａから脱出する。これにより、ロックユニット２３によるロックが解除され、スライダー１８の閉方向ＣＬへのスライドが開始される。結果、ダンパー１９の減衰力及びバネ２０の閉方向ＣＬの付勢力が、スライダー１８を介して戸体３に伝達される。その後、図５Ｆに示すように、戸体３が全閉位置に到達して、開口部６が閉鎖される。
【００３６】
次に、図６Ａ〜図６Ｆを用いて、引戸１の開動作時のソフトクローズ機構５の動作について説明する。図６Ａ〜図６Ｆは、引戸１の開動作時のソフトクローズ機構５の動作を説明する正面図である。図６Ａは、ソフトクローズ機構５の動作が開始する前の状態を示す。図６Ｂは、図６Ａに示す状態の続きの状態を示す。図６Ｃは、図６Ｂに示す状態の続きの状態を示す。図６Ｄは、図６Ｃに示す状態の続きの状態を示す。図６Ｅは、図６Ｄに示す状態の続きの状態を示す。図６Ｆは、図６Ｅに示す状態の続きの状態を示す。なお、図６Ａ〜図６Ｃでは、便宜上、ダンパー１９及びバネ２０の記載を省略している。
【００３７】
図６Ａ及び図６Ｂに示すように、戸体３が開方向ＯＰにスライドされると、第１揺動片２４は、開方向ＯＰにスライドされる戸体３に固定された上戸車１２のピン１６によって揺動し、第１開方向姿勢から第１閉方向姿勢になる。そして、戸体３に固定された上戸車１２のピン１６は、第１揺動片２４の保持部２４ａから離脱する。
【００３８】
その後、図６Ｃに示すように、戸体３に固定された上戸車１２のピン１６が、第２開方向姿勢の第２揺動片２６の保持部２６ａに嵌まる。全閉位置から所定の距離のここまでの第１区間を戸体３が開方向ＯＰにスライドする場合、バネ２０は、閉方向ＣＬの付勢力を蓄積しない無負荷状態になる。そしてここから、スライダー１８の開方向ＯＰへのスライドが開始され、バネ２０に閉方向ＣＬの付勢力が蓄積される。
【００３９】
その後、図６Ｄに示すように、スライダー１８がロック穴１７ａに対応する位置までスライドすると、バネ２９の付勢力によって挿脱片２８がロック穴１７ａに挿入される。このように、スライダー１８は、ロックユニット２３によって所定の位置にロックされてスライドが不能になる。上記の第１区間に連続するここまでの第２区間を戸体３が開方向ＯＰにスライドする場合、バネ２０は、閉方向ＣＬの付勢力を蓄積する負荷状態になる。そして、図６Ｅ及び図６Ｆに示すように、第２揺動片２６は、開方向ＯＰにスライドされる戸体３に固定された上戸車１２のピン１６によって揺動し、第２閉方向姿勢になる。
【００４０】
その後、戸体３に固定された上戸車１２のピン１６は、第２揺動片２６の保持部２６ａから離脱する。引き続き、戸体３は、開方向ＯＰにスライドされる。
【００４１】
以上説明した上記実施形態によれば、以下のような効果を奏する。
玄関の引戸１が備えるソフトクローズ機構５は、スライドすることで開閉動作を行う戸体３に採用される機構であって、戸体３が閉方向ＣＬにスライドする場合に当該戸体３に減衰力を付与するダンパー１９と、戸体３が開方向ＯＰにスライドする場合に閉方向ＣＬの付勢力を蓄積する一方で、戸体３が閉方向ＣＬにスライドする場合に当該戸体３に閉方向ＣＬの付勢力を付与するバネ２０と、を備え、バネ２０は、戸体３の全閉位置から所定の距離の第１区間を戸体３が開方向ＯＰにスライドする場合に閉方向ＣＬの付勢力を蓄積しない無負荷状態になる一方で、第１区間に連続する第２区間を戸体３が開方向ＯＰにスライドする場合に閉方向ＣＬの付勢力を蓄積する負荷状態になる。
【００４２】
また、本実施形態では、玄関の引戸１が備えるソフトクローズ機構５は、戸体３の開方向ＯＰ及び閉方向ＣＬに沿って配置されたレール１７と、レール１７に沿ってスライドすることで、ダンパー１９の減衰力及びバネ２０の付勢力を戸体３に伝達するスライダー１８と、スライダー１８に設けられ、戸体３が閉方向ＣＬにスライドする場合に、戸体３に固定された上戸車１２のピン１６を保持してスライダー１８を戸体３と一体にスライドさせる一方で、戸体３が開方向ＯＰにスライドする場合に、戸体３に固定された上戸車１２のピン１６を保持しない第１キャッチャー２１と、スライダー１８における第１キャッチャー２１よりも戸体３の開方向ＯＰの側に設けられ、戸体３が閉方向ＣＬにスライドする場合に、戸体３に固定された上戸車１２のピン１６を保持しない一方で、戸体３が開方向ＯＰにスライドする場合に、戸体３に固定された上戸車１２のピン１６を保持してスライダー１８を戸体３と一体にスライドさせる第２キャッチャー２２と、を備えている。
【００４３】
また、本実施形態では、玄関の引戸１が備えるソフトクローズ機構５は、スライダー１８を所定の位置にロックして当該スライダー１８のスライドを不能にする一方で、そのロックを解除してスライダー１８のスライドを可能にするロックユニット２３を備え、第１キャッチャー２１は、戸体３が閉方向ＣＬにスライドする場合に、戸体３に固定された上戸車１２のピン１６が嵌まる第１閉方向姿勢と、戸体３が開方向ＯＰにスライドする場合に、戸体３に固定された上戸車１２のピン１６が嵌まる第１開方向姿勢と、の間を揺動する第１揺動片２４と、第１揺動片２４に、第１閉方向姿勢の方向の付勢力、又は第１開方向姿勢の方向の付勢力を付与するバネ２５と、を備え、第２キャッチャー２２は、戸体３が閉方向ＣＬにスライドする場合に、戸体３に固定された上戸車１２のピン１６が嵌まる第２閉方向姿勢と、戸体３が開方向ＯＰにスライドする場合に、戸体３に固定された上戸車１２のピン１６が嵌まる第２開方向姿勢と、の間を揺動する第２揺動片２６と、第２揺動片２６に、第２閉方向姿勢の方向の付勢力、又は第２開方向姿勢の方向の付勢力を付与するバネ２７と、を備え、ロックユニット２３は、スライダー１８に設けられ、レール１７に設けられたロック穴１７ａに対して挿脱する挿脱片２８と、挿脱片２８に、当該挿脱片２８がロック穴１７ａに挿入する挿入方向の付勢力を付与するバネ２９と、第１揺動片２４が第１閉方向姿勢から第１開方向姿勢に向けて揺動する場合に、バネ２９の付勢力に抗して挿脱片２８をロック穴１７ａから脱出させる連動リンク３０と、を備えている。
【００４４】
一般的なソフトクローズ機構は、引戸の開き始めの動作力が大きくなるので、開き始めの操作性に改善の余地がある。また、玄関の引戸１は、断熱性及び気密性の向上のため、ガイドレール８ａが、閉方向ＣＬの端部における屋外側が屋内側に傾斜した形状を有しており、また、室内の引戸と比較して重量があるので、開き始めに大きな動作力が必要となるが、本実施形態のソフトクローズ機構５によれば、バネ２０の付勢力を蓄積する区間を、戸体３の全閉位置から所定の距離（例えば、３ｃｍ）ほどずらした位置からにしたことで、開き始めの動作力が過剰に大きくなることを防ぐことができる。
【００４５】
また、バネ２０の付勢力を蓄積する区間を、戸体３の全閉位置から所定の距離（例えば、３ｃｍ）ほどずらした位置からにしたことで、例えば採風のために引戸ガードを用いて戸体３を全閉位置から所定の距離（例えば、３ｃｍ）よりも小さい距離（例えば、１ｃｍ）だけ開いた僅かな隙間を空けた状態（換気モード）に維持することができる。このように引戸ガードを用いた場合には、採風を確保しつつ安全を確保することができる。
【００４６】
ここで、引戸ガードについて図７Ａ〜図７Ｃを参照して説明する。
図７Ａは、引戸ガード３２を説明する斜視図であり、引戸ガード本体３３が本体収納部３４に収納された状態を示す。図７Ｂは、引戸ガード３２を説明する斜視図であり、引戸ガード本体３３が引き出されて受け部３５と係合した状態を示す。図７Ｃは、引戸ガード３２を説明する斜視図であり、引戸ガード本体３３が引き出されて受け部３５と係合した状態で引戸１を半開きとしたときの状態を示す。
【００４７】
引戸ガード３２は、引戸ガード本体３３と、本体収納部３４と、受け部３５と、受け収納部３６と、を備える。引戸ガード本体３３及び本体収納部３４は、縦枠９の見込み面に設けられる。受け部３５及び受け収納部３６は、戸体３における縦枠９側（戸先側）の屋内側見付面に設けられる。
【００４８】
引戸ガード本体３３は、長尺状に形成され、縦枠９の見込み面に取り付けられた溝を有する本体収納部３４の溝内に収納可能となっている。具体的には、引戸ガード本体３３の下端部が本体収納部３４に回動可能に支持されることにより、引戸ガード本体３３は、本体収納部３４からの引き出しと、本体収納部３４への収納が可能となっている。本体収納部３４から引き出された引戸ガード本体３３は、戸体３側見付方向に略水平に延びた状態となる（図７Ｂ参照）。
【００４９】
受け部３５は、引戸ガード本体３３の幅よりも長い長尺状に形成され、戸体３における縦枠９側（戸先側）の屋内側見付面に取り付けられた溝を有する受け収納部３６の溝内に収納可能となっている。具体的には、受け部３５の下端部が受け収納部３６に回動可能に支持されることにより、受け部３５は、受け収納部３６からの引き出しと、受け収納部３６への収納が可能となっている。受け収納部３６から引き出された受け部３５は、屋内側見込み方向に略水平に延びた状態となる（図７Ｂ参照）。
【００５０】
従って、本体収納部３４から引き出されて戸体３側見付方向に略水平に延びた引戸ガード本体３３は、受け収納部３６から引き出されて屋内側見込み方向に略水平に延びた受け部３５と係合可能となっている。引戸ガード本体３３の先端には、引戸ガード本体３３が完全に引き出されたときに下方に突出する本体返し部３７が設けられており、受け部３５の先端には、受け部３５が完全に引き出されたときに上方に突出する受け返し部３８が設けられているため、図７Ｃに示すように互いの係合が解除されるのが防止される。これにより、採風を確保しつつ安全を確保することが可能となっている。
【００５１】
以上、本発明の玄関の引戸１の好ましい実施形態について説明したが、本発明は、上述した実施形態に制限されるものではなく、適宜変更が可能である。例えば、本発明のソフトクローズ機構５は、引出等のスライドによる開閉動作を行うその他のものに採用することも可能であり、特に重量があるものに好ましく適用される。
【符号の説明】
【００５２】
１  玄関の引戸
２  枠体
３  戸体（開閉部材）
４  戸袋
５  ソフトクローズ機構
６  開口部
７  上枠
７ａ  ガイドレール
８  下枠
８ａ  ガイドレール
９，１０  縦枠
１１  戸体本体
１２  上戸車
１３  下戸車
１４  戸車本体
１５  車輪
１６  ピン（被保持部材）
１７  レール
１７ａ  ロック穴
１８  スライダー
１９  ダンパー
２０  バネ（スライド付勢部材）
２１  第１キャッチャー（第１保持手段）
２２  第２キャッチャー（第２保持手段）
２３  ロックユニット（ロック手段）
２４  第１揺動片（第１揺動部材）
２４ａ  保持部
２５  バネ（第１揺動付勢部材）
２６  第２揺動片（第２揺動部材）
２６ａ  保持部
２７  バネ（第２揺動付勢部材）
２８  挿脱片（挿脱部材）
２９  バネ（ロック付勢部材）
３０  連動リンク（連動部材）
ＯＰ  開方向
ＣＬ  閉方向
【図１】
2019049148.tif 000003
【図２】
2019049148.tif 000004
【図３】
2019049148.tif 000005
【図４】
2019049148.tif 000006
【図５Ａ】
2019049148.tif 000007
【図５Ｂ】
2019049148.tif 000008
【図５Ｃ】
2019049148.tif 000009
【図５Ｄ】
2019049148.tif 000010
【図５Ｅ】
2019049148.tif 000011
【図５Ｆ】
2019049148.tif 000012
【図６Ａ】
2019049148.tif 000013
【図６Ｂ】
2019049148.tif 000014
【図６Ｃ】
2019049148.tif 000015
【図６Ｄ】
2019049148.tif 000016
【図６Ｅ】
2019049148.tif 000017
【図６Ｆ】
2019049148.tif 000018
【図７Ａ】
2019049148.tif 000019
【図７Ｂ】
2019049148.tif 000020
【図７Ｃ】
2019049148.tif 000021